(57)【特許請求の範囲】
【請求項１】
２枚の板の長辺がパウチ容器の注出部の筒部の正面幅より大きくフランジの正面幅より小さい間隔を有して平行に並び、２枚の板は最下端のフランジとその上にあるフランジの間隔よりも薄く、かつ同じ高さに並べて固定された状態のものをレールとし、該レール前部には駆動装置としてのソレノイドを載置し、プランジャと連動した２つのゲートが該レール方向に対して前後にあり、前方ゲートは該レールを閉じ、後方ゲートは前方に向かって膨らみをもつ後方ゲートで該レールを開いた状態を定常状態として、
プランジャの動きにより該前方ゲートと該後方ゲートの開閉が反対に作用し、該２つのゲートにおける該レール方向の幅は概ねパウチ容器のキャップの径であり、該レールは前方を下に傾斜して支持されており、
パウチ容器のフランジギャップを後方のレール口に入れてパウチ容器を装填すると、フランジの一部が該レール上面に接して該レールに吊下げられた状態で前方に移動し、閉じた該前方ゲートにより該レール上に停止し、該レールの長さに応じて複数のパウチ容器を装填することができ、パウチ容器の注出部とマイクロスイッチの感知レバーの接触によりパウチ容器の売切れ状態を感知できるよう該レールの前部にマイクロスイッチが位置し、
販売時に該ソレノイドに電流が流され該プランジャが移動することにより、該プランジャと連動した該前方ゲートが開いて最前列にあったパウチ容器を該レールから落下できる状態とし、同じく該プランジャと連動した該後方ゲートが閉じて先頭直後のパウチ容器およびそれ以降に装填されているパウチ容器を停止させるとともに先頭のパウチ容器の注出部に該膨らみの部分が接触して前方に押出すことで確実に該レールからパウチ容器を送出し、該ソレノイドへの電流が停止すると該プランジャがバネの弾性力で元の位置に戻り、該プランジャに連動した該２つのゲートは定常状態の位置に戻り、該前方ゲートが閉じ、該後方ゲートが開かれ、落下したパウチ容器の直後にあったパウチ容器が最前列のパウチ容器として該前方ゲートに止められた状態になる動作が一販売動作となることを特徴とするパウチ容器送出装置。
【請求項２】
該パウチ容器送出装置は前方の支持板に支えられて支軸を中心に回動可能な状態であり、該プランジャに一端を取付けられたワイヤーが台板に付設したガイドを通り、更に後方の支持板に取付けたガイドを通り、該パウチ容器送出装置後方に位置するワイヤー止めに該ワイヤーの他端が固定されて該パウチ容器送出装置の後方が該ワイヤーにより吊り下げられた状態とし、該ソレノイドへの通電時に該プランジャが該ソレノイド本体内に引かれると、該プランジャに連動した該ワイヤーが該パウチ容器送出装置の後方を持ち上げ、該ソレノイドへの通電が終わると該プランジャが元の位置に戻り、該ワイヤーが後方に送り込まれて該パウチ容器送出装置が元の位置に戻り、結果該パウチ容器送出装置が支軸を中心に上下に揺動することを特徴とする請求項１に記載のパウチ容器送出装置。
【請求項３】
該パウチ容器送出装置の前方に位置する該ソレノイドおよびスライドレールおよびゲート板の上部に、台板を介して取付けられた直付け保護板を有しており、該パウチ容器送出装置が上下に搭載された際に、上部に位置する該パウチ容器送出装置により送出された物品の落下から直下に位置する該パウチ容器送出装置を保護するとともに、該物品を該パウチ容器送出装置前方へ滑落させることを特徴とする請求項１または請求項２に記載のパウチ容器送出装置。
【請求項４】
パウチ容器以外の物品を請求項１乃至請求項３のうちいずれか１つに記載のパウチ容器送出装置より送出するために、パウチ容器の注出部と同様の形状であるレールスライド部と、該レールスライド部の下方に物品を入れる合成樹脂素材でできた収納部と入れた物品が袋から出ないように入り口を閉めることのできる粘着剤の着いたスカート部を有することを特長とする、袋型レール吊下げ補助具
【請求項５】
中古の自動販売機のサーペンタイン装置の一部あるいは全部を取り外し、該自販機筐体内部に請求項１乃至請求項３のうちいずれか１つに記載のパウチ容器送出装置を取り付け、中古自動販売機の配線を延長して請求項１乃至請求項３のうちいずれか１つに記載のパウチ容器送出装置の電気系統の配線と接続し、中古の自動販売機をリニューアルする方法。
【発明の詳細な説明】
【技術分野】
【０００１】
本発明は、市場が拡大しているパウチ飲料商品（以下パウチ商品という）を自動販売機にて販売することを可能とし、併せて、既存の飲料自動販売機で多く使用されているサーペンタインラックを電気的制御機構はそのままに置換してパウチ商品を販売することが可能であるパウチ容器送出装置に関するものである。
【背景技術】
【０００２】
自動販売機にてパウチ商品販売を専用とする送出機構はいまだ開発されておらず、箱状体あるいは不定形状体の商品を送出するためのスパイラル機構（例えば、特許文献１参照）を流用してパウチ商品を販売している事例が見られる。
【０００３】
パウチ商品の販売が拡大傾向にあるとはいえ、ペットボトルや缶といった缶体の商品に比べての販売量はまだまだ少ないため、パウチ専用の自動販売機は市場展開されておらず、自動販売機の送出機構にスパイラルラックと別の機構を組み合わせた自動販売機（例えば、特許文献２、特許文献３参照）にてパウチ商品が販売されているというのが実情である。
【０００４】
また、パウチ商品を缶素材やペットボトル素材による円筒体に入れて封をして、サーペンタイン式の自動販売機にて販売する方法もある。
【特許文献１】特開平０５−０８１５３３号公報
【特許文献２】特開２０００−３３１２３４号公報
【特許文献３】特開２００１−２２２７５９号公報
【発明の開示】
【発明が解決しようとする課題】
【０００５】
根本的な課題として、パウチ商品を専用に送出するための効率的かつ経済性の高い自動販売機用の機構が存在しないことが挙げられる。現状におけるパウチ商品の自動販売機での販売は、従来の送出機構の流用であり、パウチ商品を自動販売機で販売するにおいてかならずしも効率的かつ経済性の高い機構とはいえない。
【０００６】
パウチ商品を自動販売機にて販売する送出機構としてスパイラル機構が挙げられる。スパイラル機構を使用した自動販売機は、サーペンタイン機構の自動販売機よりも駆動制御等の機構が複雑であり、高単価の機械となっている。
【０００７】
また、サーペンタイン機構は投入順に販売されるのに対し、スパイラル機構の主流となるシースルー自動販売機では商品の投入の際、ラック上に残っている商品を一旦ラックから抜き取り、新しい商品を奥に投入し、元の商品を手前に投入するという先入れ先出し作業が伴うという難点がある。
【０００８】
更に、スパイラル機構は多様な商品を送出するに際してスパイラルのピッチが定義されており、商品に汎用性を持つ分、一列のラックに多くの商品を装填できないという難点もある。
【０００９】
また、スパイラル機構はスパイラルピッチと商品幅の関係によっては、送出エラーがサーペンタイン方式のラックよりも比較的多く発生している。
【００１０】
更に購買者の視点では、スパイラルラ機構はモーター等の回転による移動により搬送を行うため、購入までの待ち時間が長いという問題点もある。
【００１１】
パウチ商品を缶素材やペットボトル素材による円筒状の筐体に入れて封をして、サーペンタイン式の自動販売機にて販売する方法については、複数装填した場合に下部の商品は上からの圧力で変形し、送出エラーが発生しやすいという問題があり、さらに一商品毎に筐体に入れて封をするというオペレーション上の煩わしさもある。
【００１２】
課題を整理すると、パウチ商品を自動販売機で販売することにおいて、１つのラック内の商品収納数を高めつつ、パウチ商品の投入順に販売され、購入に要する待ち時間が少なく、オペレーション時に別の補助具を必要とせず、送出エラーが発生しにくい機構が低コストにて提供できることが挙げられる。
【課題を解決するための手段】
【００１３】
本発明であるパウチ容器送出装置は、２枚の薄い板をパウチ容器の筒部の幅よりわずかに広い間隔を有して並べて同じ高さに固定してレールを構成し、パウチ容器の注出口にある溝をレールの空間に通すことにより、パウチ容器をレールによって吊下げる。
【００１４】
レールの前部にはレール方向に対し概ねパウチ容器のキャップの径の距離を隔てて前後２つのゲートが設けられており、２つのゲートはソレノイドを駆動装置として一方のゲートが開けば他方のゲートが閉じるように連動した仕組みとなっており、ソレノイドに電流が流れていない場合は前方のゲートがレールを閉じて後方のゲートがレールを開き、ソレノイドに電流が流れた場合は前方のゲートがレールを開き後方のゲートがレールを閉じる仕組みとなっている。
【００１５】
レールは前方を下に後方を上にするように傾斜して支持し、パウチ容器をレール後部より装填するとレール上を滑って前方に移動し、レールの前部に設けられた前後２つのゲートのうち、レールを閉じた前方のゲートにより停止する。
【００１６】
販売時にソレノイドに電流が流れると閉じていた前方のゲートは開放し、パウチ容器１個がレール出口より滑り落ち、送出されると同時に、後方のゲートは閉じて落下したパウチ容器以降のパウチ容器を停止させた状態とする。
【００１７】
ソレノイドへの電流が停止すると、ゲートは元に戻り前方のゲートは閉じて後方のゲートが開き、後方のゲートにより停止されていたパウチ容器が前に移動して前方ゲートにより停止する。
【００１８】
本発明は２つのゲートの開閉によりパウチ容器の自由落下を制御することによりパウチ容器を送出することから、機構的に簡素でありかつ送出エラーが極めて少ない安定的な機構である。
【００１９】
本発明は、飲料自動販売機で最も多いサーペンタイン装置の駆動装置として使用されるソレノイドを駆動装置として使用することにより、通常の飲料自動販売機に対し特別な電子機構やプログラミングを行うことなく、構造的にも簡素なことから低コストにて更に送出の安定性をもって自動販売機に搭載することができる。
【発明の効果】
【００２０】
本発明はまず自動販売機にてパウチ商品を販売できるという効果がある。その販売に際して、レールに吊下げられたパウチ商品が隙間無く並ぶことから１つのラック内の商品収納数が高く、先に装填したパウチ商品が先に販売されることから先入れ先出しのオペレーションが不要で、駆動装置としてソレノイドを使用することにより購入に要する待ち時間が少なく、オペレーション時に別の補助具を必要とせず、レール上のゲート開閉による自由落下の制御による送出方法により送出エラーが極めて少なく、これらの機構が簡素な構造であるために低コストにて自動販売機に搭載できるという効果がある。
【００２１】
本発明の現実的な運用としては、小型の中古自動販売機内のサーペンタイン装置を取り外し、本発明のパウチ容器送出装置と置換してパウチ飲料専用自動販売機にすることができる。また、中型および大型の自動販売機内のサーペンタイン装置の一部を取り外して本発明のパウチ容器送出装置を装備することにより、一台の自動販売機に缶体の飲料とパウチ飲料の双方を販売することが可能となる。即ち、自動販売機の新品・中古、自動販売機の大小を問わずパウチ飲料の販売を可能とし、設置ロケーションに応じて自動販売機内のサーペンタイン機構とパウチ容器送出機構の配分を変化させることが可能となる。
【発明を実施するための最良の形態】
【００２２】
（パウチ容器）
本発明はパウチ容器を送出することを目的としており、その送出方法はパウチ容器特有の形状を利用することによる。図１に示すとおり、パウチ容器１には大きく２つ形状がある。図１（ａ）に示すとおり、パウチ容器は内容物が入る袋部２と内容物を注入したり飲用する注出部３から構成されており、注出部３は筒部４を中心軸にして袋部２に近い出っ張りであるフランジＡ６ａとその上方にある出っ張りであるフランジＢ６ｂとキャップ５にて構成されている。これが第一の形状である。図１（ｂ）に示すとおり、フランジＢ５ｂの上部に更に一つのフランジＣ５ｃを有するパウチ容器１があり、これが第二の形状である。いずれの形状においても、フランジＡ６ａとフランジＢ６ｂの間であるフランジギャップ７を有しており、フランジギャップ７は一定の幅（５ｍｍ程度）を有し、フランジギャップ７にある筒部４は円柱形状ではなく角柱形状をしている。本発明は、この注出部３にあるフランジギャップ７と筒部４およびキャップ５の構造を主として活用することにより、送出を可能とするものである。
【００２３】
（レール構造）
図２で示すとおり、２本のアングル２０の一辺を向かい合わせ、その辺と辺が図１（ｂ）のＬ２より大きくＬ３より小さい距離となり辺と辺が並行でかつ同じ高さになるよう、溝型鋼２３により固定されたものをレールとし、辺と辺の間の空間をレール口２１とし、当該辺を形成する面をレール部２２とする。尚、レール面の厚さは、フランジギャップ７の距離であるＬ１（図１（ｂ）参照）より薄い。
【００２４】
（スライドレール）
図２で示すとおり、レールの前方上部には、レール前方に種々の部材を設置できるよう支持板２４ｂをアングル２０に固定して設けている。支持板２４ｂの上にはスライドレール固定部２５ａがレール方向と垂直になるように載置されており、その上をスライドレール可動部２５ｂが左右に可動することができる。
【００２５】
（駆動装置）
駆動装置としてソレノイド３０を用いる。図２で示すとおり支持板２４ｂへ固定された台板２４上に、プランジャ３１がスライドレール可動部２５ｂと平行可動するようにソレノイド３０が載置されている。台板２４に設けられた孔２８に一端を掛けたバネ３３の別の一端がゲート板２６に設けられた孔に掛けられており、プランジャ３１の動きがバネ３３の弾性力に影響を受ける配置となっている。
【００２６】
（ゲート板）
図２に示すように、ゲート板２６はプランジャ３１とスライドレール可動部２５ｂを掛け渡してそれぞれ固定具８１および固定具８０により固定されており、図３で示すようにゲート板２６は前後２つの下方に延びるゲートを有し、前方に位置するゲートを前方ゲート２６ａ、後方に位置するゲートを後方ゲート２６ｃとし、後方ゲート２６ｃは後方ゲート軸２６ｂから内側方向に伸びて設けられている。２つゲートの位置関係について図３の距離Ｌ４が、パウチ容器１のキャップ５の径と同程度の距離を有している。また、図３の距離Ｌ５は図４で示すように、前方ゲート２６ａが閉じている際に後方ゲート２６ｃがパウチ容器１のレール上の進行を妨げない位置関係にある。
【００２７】
（支持）
図５に示すようにパウチ容器送出装置１０は傾斜設置する。自動販売機の天井部にある金具に吊下げて固定された４本の支持板４０の有する支持穴４１にパウチ容器送出装置１０の支軸３６の溝部３７ではさむことにより（支軸３６の先端は着脱可能）、一定の角度をもって固定する（図２参照）。パウチ容器１の大きさによってパウチ容器送出装置１０の高さが調節できるように、支持板４０の有する支持穴４１は一定間隔で複数設けられている。尚、パウチ容器送出装置１０を自動販売機に取り付けるに際しては、固定用の穴を有する箱状の筐体を天井部より吊下げて、その筐体内に取り付ける方法などもある。
【００２８】
（装填）
図６に示す後方のレール口２１からパウチ容器１を装填する。装填はパウチ容器１のフランジギャップ７をレール口２１に通すことにより行い、フランジＢ６ｂの下面がレール部２２上面を滑っていき、レール前部にある前方ゲート２６ｂにパウチ容器１の注出部３が引掛り、停止する。複数の装填は、前のパウチ容器１に進行を阻まれ、パウチ容器１はレールにそって整列した状態で停止する。
【００２９】
（送出１）
図７（ａ）に示すように、装填されたパウチ容器１ａは前方ゲート２６ａに進行を遮られることにより停止し、後続のパウチ容器もレールに沿って並んだ状態で停止している。
【００３０】
（送出２）
図７（ｂ）に示すように、販売時、ソレノイド３０に電流が流れるとプランジャ３１がソレノイド３０内部に引かれる。プランジャ３１と連結されたスライドレール可動部２５ｂにより可動状態にあるゲート板２６はプランジャ３１と連動して移動し、前方ゲート２６ａが開き、止めていた最前列のパウチ容器１ａを開放して前方に落下させる。同時に、後方ゲート２６ｃが閉じて二番手にあったパウチ容器１ｂを停止させ、後続のパウチ容器を停止させる。
【００３１】
（送出３）
図７（ｃ）に示すように、ソレノイド３０への電流が停止するとバネ３３の弾性力によりプランジャ３１が引き戻され、プランジャ３１と連結しているゲート板２６も同方向に移動して後方ゲート２６ｃが開きパウチ容器１ｂが前方に移動すると同時に前方ゲート２６ａが閉じてパウチ容器１ｂおよびその後続のパウチ容器１ｃを停止させる。
【００３２】
（自販機内への搭載）
図８に示すようにパウチ容器送出装置１０は自動販売機の背面に向かって下方に傾斜させて支持板４０に設置する。パウチ容器１の装填は自動販売機の前面の扉を開けて、パウチ容器送出装置１０の後方より行う。パウチ容器送出装置１０の前端と自動販売機の背面板５１とはパウチ容器１が落下するに十分な間がある。販売時に送出され落下するパウチ容器１が落下時に下部のパウチ容器送出装置１０に当たらないよう、パウチ容器送出装置１０の上下間に保護板４２がパウチ容器送出装置１０と概ね平行に傾斜するように支持板４０に取り付けられている。
【００３３】
（自販機内の動線）
図８に示すように、販売時に送出され落下するパウチ容器１は背面板５１とパウチ容器送出装置１０の前端あるいは保護板４２の前端の間を通って落下し、傾斜しているシューター５２を滑り、受け口５３へ到達する。購入者は取出し口５４を経由してパウチ容器１を手にする。
【００３４】
（支持２）
販売時に送出され落下するパウチ容器１が落下時に下部のパウチ容器送出装置１０に当たらない措置として、図９に示すように上に設置するパウチ容器送出装置１０の前端位置が下に設置するパウチ容器送出装置１０の前端位置よりもパウチ容器１の厚み以上前に出る位置に設置する方法もある。
【００３５】
（売切れ検知）
パウチ容器送出装置１０による売切れの検知は、図７、図２で示すとおりマイクロスイッチ３４で行う。マイクロスイッチ３４の位置はパウチ容器１がレール上に存在するとマイクロスイッチ３４の感知レバー３４ａをパウチ容器１の注出部３が押すように配置されている。マイクロスイッチ３４の位置により、レール上に何個残った状態で売切れになるかを調節することができる。マイクロスイッチ３４の電極はコネクタ３５に配線されている。サーペンタインランクでは通常、レール上に飲料容器が１個残った状態で売り切れになる位置にマイクロスイッチの感受位置を設定しているが、これは売切れ後の装填直後において、適温に冷蔵または加温された飲料を販売するためであり、パウチ容器送出装置１０のマイクロスイッチ３４位置についても同様にパウチ容器１が１個残った状態で売り切れになる位置に設定することが有効であるがその限りではない。
【００３６】
（後方ゲートの形状）
後方ゲート２６ｃの形状は、板状であっても機能するが、パウチ容器送出装置１０に装填されたパウチ容器１の数が多くなると、前方にあるパウチ容器１の袋部２が後方のパウチ容器１の袋部２に押されて注出部３の角度が変わり、レールを構成している板をフランジＡ６ａの前上辺とフランジＢの後下辺で挟むようになりレール上の滑りが悪くなる場合がある。そこで、後方ゲート２６ｃは前方に膨らみをもつ形状とすることで、後方ゲート２６ｃが閉じた際に、前側にあるパウチ容器１の注出部３を前に押し出すことができ、送出をより確実にする。
【００３７】
（配線）
最も一般的な飲料自販機は、サーペンタイン装置による送出機構であり下部に駆動装置としてソレノイドを有しており、缶体が１本残った状態で売切れになるようにマイクロスイッチが検知できる位置に配置されている。販売時に購入ボタンを押すと短い時間ソレノイドに電流を流し、プランジャの移動に際して１本だけを送出する仕組みとなっており、サーペンタイン装置（コラム）のソレノイド電極とマイクロスイッチ電極が自動販売機の電子制御装置に配線されている。パウチ容器送出装置１０も同様に、販売時に購入ボタンを押すと短い時間ソレノイドに電流を流し、プランジャの移動に際して１個だけ送出する仕組みであり、サーペンタイン装置と同様にソレノイド電極３２とマイクロスイッチ３４の電極が電子制御装置に配線されている。この配線の同一は本発明であるパウチ容器送出装置１０が最も一般的な飲料自動販売機のサーペンタイン装置と容易に置換できることを意味している。従って、パウチ容器送出装置１０はパウチ飲料用自動販売機の低コスト化を約束する。
【００３８】
（自販機内への搭載２）
先に述べたとおり、パウチ飲料の需要は拡大傾向にあるとはいえ、中型・大型の自動販売機内すべてがパウチ飲料を販売するほどの販売比率を有していない。従って、図１０に示すとおり一台の自動販売機内部を通常のサーペンタイン装置による缶体の送出と本発明であるパウチ容器送出装置１０によるパウチ容器の送出に分割して使用する方法が実運用面として有効である。
【００３９】
（基本原理の整理）
パウチ容器送出装置１０の基本的原理を整理すると、間隔を有する２枚の薄い板のレールを傾斜させて支持し、パウチ容器のフランジギャップをレール口にとおして、レール上にパウチ容器を滑らせて前方に移動させ、レール前部にある駆動装置と連動した前方ゲートによりパウチ容器は停止し、以降の装填されたパウチ容器はその後ろに滞留する。販売時に駆動装置が動くことにより前方ゲートが開きパウチ容器１個を送出するとともに、同じく駆動装置と連動した後方ゲートが閉じて落下したパウチより後ろにあったパウチ容器を停止させ、駆動装置への電流が停止すると前方ゲートと後方ゲートが元に位置に戻り最前列にあったパウチ容器が閉じた前方ゲートにより停止し、以降のパウチ容器がレール上に滞留する仕組みである。
【００４０】
（ワイヤー式）
これらの基本原理を実現すれば、パウチ容器送出装置１０は多少の形状が変化をしてもパウチ容器１を送出できる。図１１に示すとおり、パウチ容器送出装置１０ｂは駆動装置であるソレノイド３０を本体の側面に配置し、ゲート板２６ｚを定滑車６０とワイヤー６１によりプランジャ３１と連動させて前方ゲート２６ａと後方ゲート２６ｃを制御し、プランジャ３１位置の復元を定滑車６０を介してワイヤー６１で繋がったバネ３３で行い、上記基本原理の送出動作を行うものである。即ち、駆動装置の位置を変えても連動のための補助機構を用いることにより前方ゲート２６ａと後方ゲート２６ｃを一定の法則のもとに可動させ、パウチ容器１を送出できる。
【００４１】
（棒鋼によるレール）
また、レールを板で構成するのではなく図１４に示すように棒鋼２０ｂでレールを構成したパウチ容器送出装置１０ｃにて上記基本原理の動作を実現してパウチ容器１を送出することができる。パウチ容器送出装置１０ｃはパウチ容器送出装置１０と、本体支持ならびに駆動動作の変わりはない。異なるのは、アングル２０の代わりに基台２０ａと棒鋼２０ｂを使用し、２本の棒鋼２０ｂの直線部についてパウチ容器送出装置１０にてレールを構成する２枚の板と距離および厚みが同じ条件内で基台２０ａと溝型鋼２３および固定具８２にて固定されている点である。もう一点異なるのは、基台２０ａに台板２４ａを取り付けてマイクロスイッチ３４を固定している点である。
【００４２】
（モーター駆動）
自動販売機の構成上、既存の仕組みに大きな改変がないため、駆動装置としてソレノイド３０を使用することが望ましいが、前方ゲート２６ａと後方ゲート２６ｃを上記基本原理のもとに可動させるに際してモーターを駆動装置とすることも可能である。
【００４３】
（揺動機構）
最前列のパウチ容器１を送出した際、後続のパウチ容器１の注出部３がレールを滑らず、レール上にパウチ容器１が滞留して送出機構のある前方ゲート２６aに達しない場合がある。図１５および図１６に示す揺動機構を用いることによりパウチ容器がレール上を円滑に移動することができる。図１５に示すように、パウチ容器送出装置１０ｄのプランジャ３１に固定具８１を介してワイヤー９０が取り付けられており、ワイヤー９０は台板２４に付設したガイド９２を通り、更に支持板４０に取付けるガイド９３を通り、ワイヤー止め９１に固定されている。図１６に示すように、支持板４０の支持穴４１に支軸３６を軸着し、パウチ容器送出装置１０ｄは支軸２６を中心に回動可能な状態であり、プランジャ３１からガイド９２を通って後方に伸びるワイヤー９０は、パウチ容器送出装置１０ｄの上方に位置する支持穴４１上に固定されたガイド９３を通って、ワイヤー止め９１に固定され、パウチ容器送出装置１０ｄ後方がワイヤー９０により吊り下げられた状態となっている（図１５参照）。販売時にプランジャ３１がソレノイド３０本体内に、即ち横方向に引かれると、プランジャ３１に連動したワイヤー９０はガイド９２とガイド９３により引く方向が変えられてパウチ容器送出装置１０ｄの後方を持ち上げる。販売後の通電が終わりプランジャ３１が元の位置に戻ると、ワイヤー９０は後方に送り込まれてパウチ容器送出装置１０ｄは元の位置に戻る。結果、販売時にパウチ容器送出装置１０ｄの傾斜角度が変化することにより、パウチ容器１はレール上を円滑に滑って送出される位置へと移動することができる。尚、この揺動の原理はプランジャ３１の動きをパウチ容器送出装置の上下運動に展開するものであり、その動力伝達はワイヤーとガイドの組合せに限らず、クランクを用いることによっても実現できる。
【００４４】
（直付け保護板）
パウチ容器送出装置１０を上下に並べて自販機に搭載する場合、図１７に示すように送出動作を行う機構部分を覆う直付け保護板４３を台板２４に固定して動作部分を保護することにより、図８に示す保護板４２を使用しなくても、パウチ容器１はパウチ容器送出装置１０から送出された後、直下の直付け保護板４３を滑落し、円滑に受け口５３まで移動する。
【００４５】
（他の物品の送出１）
本発明であるパウチ容器送出装置１を用いて、パウチ容器１以外の別の物品を送出することができる。図１２（ａ）に示すとおり、穴あき物品用レール吊下げ補助具７０は注出部３と同様の形状を有するレールスライド部７１の下方に穴を有する物品を引っ掛けることのできる物品吊下げ部７２を設けている。図１２（ｂ）に示すとおり穴あき物品用レール吊下げ補助具７０を使用することで、レールスライド部７１を介して穴あき物品７４をパウチ容器送出装置１にて送出することができる。
【００４６】
（他の物品の送出２）
図１３（ｂ）に示す物品７８は小さな穴を本体にもたない物品である（たとえばカップ麺）。この場合、図１３（ａ）に示すように袋型レール吊下げ補助具７５を使用することにより、パウチ容器送出装置１にて送出することが可能となる。袋型レール吊下げ補助具７５は注出部３と同様の形状を有するレールスライド部７１の下方に例えばポリプロピレンなどの薄い膜素材でできた収納部７７と収納した物品７８が袋からでないようにする粘着剤の着いたスカート部７６を有している。図１３（ｂ）に示すように物品７８を収納部７７に入れ、スカート部７６ｂを収納部７７に接着、梱包することにより、レールスライド部７１を介して物品７８をパウチ容器送出装置１にて送出することができる。
【００４７】
（他の物品の送出３）
尚、袋型レール吊下げ補助具７５のレールスライド部７１および穴あき物品用レール吊下げ補助具７０のレールスライド部７１は、パウチ容器の注出部３と全く同じ形状である必要はなく、レール部２２に吊下げられてスライドし、マイクロスイッチ３４の感知レバー３４ａに接触しうる幅を有する基台を持ち、貴台上部にはゲート板２６の制御即ち停止および送出しを受けるべく突出部を持てば良い。
【００４８】
（自動販売補助筐体）
図２１に示すとおり、自動販売機５０では販売できないサイズの物品や、冷却加温の不向きな物品を販売する際に、自動販売機５０内部のサーペンタインのベンドメカにつながれるべきコネクタと中継した延長コード５６を自動販売補助筐体５０aの内部に搭載されたパウチ容器送出装置１の有する電極類と接続する。自動販売機５０に自動販売補助筐体５０aで販売する物品をディスプレイし、自動販売機５０の当該ボタンを押すことにより、自動販売機５０に隣接する自動販売補助筐体５０aにてパウチ容器送出装置１に装填された物品を販売する。また、自動販売機５０と自動販売補助筐体５０aに上記の電気的連絡を行い、自動販売機５０内部の電子制御装置による当選機能により、自動販売機５０で購入した際の当選物品を自動販売補助筐体５０aから提供することもできる。
【実施例１】
【００４９】
（小型自動販売機への搭載について）
１０セレクションの小型の中古自動販売機のサーペンタイン装置をすべてはずし、自動販売機の天井部に支持板４０を取り付け、パウチ容器送出装置１０を傾斜角２０度にして５段の２列、計１０台搭載した。パウチ容器送出装置１０の上下間には保護板４２を支持板４０にとりつけた。パウチ容器送出装置１０への配線は、既存の電子制御装置からの配線を延長するのみの延長コードの先端にあるコネクタにより、ソレノイド電極３２とマイクロスイッチ３４のコネクタ３５に接続した。自動販売機内のシューター５２の角度を既存よりも５度上げてパウチ容器１の受け口５３までの動きを確実にした。パウチ容器送出装置１０の全長は４５０ｍｍのものを使用したところ、１台のパウチ容器送出装置１０に１６個のパウチ容器１が装填できた。販売動作に関しては、通常の販売が安定的に行われた。
【実施例２】
【００５０】
（中型自動販売機への搭載について）
既に市場で販売を行っている２０セレクションの自動販売機のサーペンタイン装置１列５コラムを取り外した。その天井部に支持板４０を取り付け、直付け保護板４３を有するパウチ容器送出装置１０ｄを傾斜角２０度にして５段の１列、計５台搭載した。パウチ容器送出装置１０ｄへの配線は、既存の電子制御装置からの配線を延長するのみの延長コードの先端にあるコネクタにより、ソレノイド電極３２とマイクロスイッチ３４のコネクタ３５に接続した。パウチ容器送出装置１０の下部にシューター５２の角度を既存よりも５度上げた別のシューターを取り付けてパウチ容器１の受け口５３までの動きを確実にした。パウチ容器送出装置１０ｄの全長は４００ｍｍのものを使用したところ、１台のパウチ容器送出装置１０に１２個のパウチ容器１が装填できた。該自動販売機は缶体を１５セレクションとパウチ容器１を５セレクション販売できる自動販売機となり、販売動作に関しては通常の販売が安定的に行われた。
【実施例３】
【００５１】
（支持方法について）
前述［００２８］でいう箱状の筐体とは例えば図１８および図１９に示すハウジング４４の如きであり、直付け保護板４３を取付けたパウチ容器送出装置１０を固定すべく４本の支持板４０と上部フレーム材４４ｂ、中央フレーム材４４ｃ、連結金具４４ｄにて固定された骨格を持ち、更に前方をハウジングカバー４４ａで覆い、ハウジングカバー４４ａの下部は自動販売機のシューター５２よりも大きな角度の傾斜部を有している。この傾斜角はパウチ容器送出装置１０からパウチ商品が送出されるに際して滑落の勢いを衰えさせず、円滑に取出し口５４まで到達することを助ける。自販機の天井部に設けられた上部金具固定用の穴に上部固定金具４５ａをネジ４６にて固定し、上部金具４５ａの羽部４５ｂにハウジング４４の上部フレーム材４４ｂを吊下げ、支持板４０の一部と自販機内部壁面やサーペンタインを固定していた前面固定板とを連結固定した。
また、中古自動販売機の中には天井部にサーペンタインラックを吊下げるレール溝が設けられているものがあり、図２０に示すとおり、ハウジング４４の上部フレーム材４４ｂにレール溝への遊挿部４５ｄを有する上部固定金具４５ｃを取り付け、当該レール溝に遊挿部４５ｄを挿入してハウジング４４を吊下げ、支持板４０の一部と自販機内部壁面やサーペンタインを固定していた前面固定板等とを連結固定した。
更に、パウチ容器送出装置１０の支持部位として、パウチ容器送出装置１０の着脱を容易にすべく支持板４０に有する支持穴４１を支持溝４１ａにした。
【産業上の利用可能性】
【００５２】
本発明は、販売量が拡大傾向にあるパウチ飲料の販売を自動販売機にて行うことができるため、パウチ飲料の市場拡大ならびに自動販売機の付加価値を生むことができる。
【００５３】
本発明は、さまざまな自動販売機への取り付けが容易であることから、中古自動販売機の筐体および電気制御機構を使用することによる自動販売機の再生といったリサイクルの推進と企業の費用負担軽減の両立に供することができる。
【００５４】
本発明は、パウチ容器１の注出部３と同様の形状を有する補助具を使用することにより、パウチ容器１以外の物品を送出することができるため、自動販売機での新たな物品販売が可能である。
【図面の簡単な説明】
【００５５】
【図１】パウチ容器の正面図
【図２】パウチ容器送出装置の正面斜視図
【図３】ゲート板の斜視図
【図４】パウチ容器送出装置の正面図
【図５】パウチ容器送出装置の支持状態を表す左側面図
【図６】パウチ容器送出装置の平面図
【図７】パウチ容器の送出状態を表すパウチ容器送出装置の正面斜視図
【図８】パウチ容器送出装置を自動販売機に搭載した状態を表す透視左側面図
【図９】パウチ容器送出装置の別の支持状態を表す左側面図
【図１０】パウチ容器送出装置とサーペンタイン装置の併用状態を表す正面斜視図
【図１１】ワイヤー式のパウチ容器送出装置の正面斜視図
【図１２】穴あき物品用レール吊下げ補助具の正面斜視図
【図１３】袋型レール吊下げ補助具の正面斜視図
【図１４】レールが棒鋼でできているパウチ容器送出装置の正面斜視図
【図１５】揺動機能を有するパウチ容器送出装置の正面斜視図
【図１６】揺動機能を有するパウチ容器送出装置の取付け状態を表す左側面図
【図１７】保護板を装着したパウチ容器送出装置の正面斜視図
【図１８】ハウジングにパウチ容器送出装置を搭載した状態を表す右側面図
【図１９】ハウジングの自動販売機への搭載方法を表す斜視図１
【図２０】ハウジングの自動販売機への搭載方法を表す斜視図２
【図２１】自販機販売補助筐体と自動販売機の連携状態を表す正面図
【符号の説明】
【００５６】
１        パウチ容器
１ａ      パウチ容器
１ｂ      パウチ容器
１ｃ      パウチ容器
２        袋部
３        注出部
４        筒部
５        キャップ
６ａ      フランジＡ
６ｂ      フランジＢ
６ｃ      フランジＣ
７        フランジギャップ
１０      パウチ容器送出装置
１０ｂ    パウチ容器送出装置
１０ｃ    パウチ容器送出装置
１０ｄ    パウチ容器送出装置
２０      アングル
２０ａ    基台
２０ｂ    棒鋼
２１      レール口
２２      レール部
２３      溝型鋼
２４      台板
２４ａ    台板
２４ｂ    支持板
２５ａ    スライドレール固定部
２５ｂ    スライドレール可動部
２６      ゲート板
２６ａ    前方ゲート
２６ｂ    後方ゲート軸
２６ｃ    後方ゲート
２６ｚ    ゲート板
２７      孔
２８      孔
３０      ソレノイド
３１      プランジャ
３２      ソレノイド電極
３３      バネ
３４      マイクロスイッチ
３４ａ    感知レバー
３５      コネクタ
３６      支軸
３７      溝部
４０      支持板
４１      支持穴
４１ａ    支持溝
４２      保護板
４３      直付け保護板
４４      ハウジング
４４ａ    ハウジングカバー
４４ｂ    上部フレーム材
４４ｃ    中央フレーム材
４４ｄ    連結金具
４５ａ    上部固定金具
４５ｂ    羽部
４５ｃ    上部固定金具
４５ｄ    遊挿部
４６      ネジ
５０      自動販売機
５０ａ    自動販売補助筐体
５１      背面板
５２      シューター
５３      受け口
５４      取出口
５５      サーペンタインコラム
５６      延長コード
６０      定滑車
６１      ワイヤー
７０      穴あき物品用レール吊下げ補助具
７１      レールスライド部
７２      物品吊下げ部
７４      穴あき物品
７５      袋型レール吊下げ補助具
７６      スカート部
７７      収納部
７８      物品
８０      固定具
８１      固定具
８２      固定具
９０      ワイヤー
９１      ワイヤー止め
９２      ガイド
９３      ガイド
【図１】
0005134488.tif 000002
【図２】
0005134488.tif 000003
【図３】
0005134488.tif 000004
【図４】
0005134488.tif 000005
【図５】
0005134488.tif 000006
【図６】
0005134488.tif 000007
【図７】
0005134488.tif 000008
【図８】
0005134488.tif 000009
【図９】
0005134488.tif 000010
【図１０】
0005134488.tif 000011
【図１１】
0005134488.tif 000012
【図１２】
0005134488.tif 000013
【図１３】
0005134488.tif 000014
【図１４】
0005134488.tif 000015
【図１５】
0005134488.tif 000016
【図１６】
0005134488.tif 000017
【図１７】
0005134488.tif 000018
【図１８】
0005134488.tif 000019
【図１９】
0005134488.tif 000020
【図２０】
0005134488.tif 000021
【図２１】
0005134488.tif 000022